【事件の表示】
　特許第２９５９０７４号「回転電機のコアシート」の請求項１に係る特許に対する特許異議の申立てについて、次のとおり決定する。
【結　論】
　訂正を認める。
　特許第２９５９０７４号の請求項１に係る特許を取り消す。
【理　由】
１．手続の経緯
　特許第２９５９０７４号の請求１に係る発明は、平成２年８月３日に出願され、平成１１年７月３０日に特許権の設定登録がなされ、その特許について、平成１２年４月３日に石浜敏より特許異議の申立がなされ、取消理由通知がされて、その指定期間内である平成１２年９月２９日に訂正請求がされたものである。
２．訂正の許否について
（１）訂正内容
　本件訂正は、特許請求の範囲の減縮を目的として、（ａ）請求項１の「複数のコアシートを積層してコアを形成するための固着部を前記コアシートのシャフト挿入穴の周囲に形成された複数の肉抜き部の最外径と最内径との間に形成し且つ固着部の形成位置を肉抜き部間としたことを特徴とする回転電機のコアシート。」との記載を、「シャフトに圧入されたコンミテータ、コアとこのコアの外周に微小ギャップを形成して固設された永久磁石を有する回転電機のコアシートにおいて、複数のコアシートを積層しコアを形成するための固着部である半打抜き部を前記コアシートのシャフト挿入穴の周囲に形成された複数の肉抜き部の最外径と最内径との間に形成し且つ固着部である半打抜き部の形成位置を肉抜き部間としたことを特徴とする回転電機のコアシート。」と訂正し、（ｂ）前記訂正事項と平仄を合わせるため明りょうでない記載の釈明を目的として、明細書（特許公報）の「複数のコアシート」（２頁左欄４行、２頁右欄２０行）との記載を、「シャフトに圧入されたコンミテータ、コアとこのコアの外周に微小ギャップを形成して固設された永久磁石を有する回転電機のコアシートにおいて、複数のコアシートを」に、「固着部」（２頁左欄５行、７行、１０行、２頁右欄２１行、２３行、２４行、２７行、２８行）を「固着部をなす半打抜き部」に訂正しようとするものである。
（２）訂正要件の適否の検討
　訂正事項（ａ）は、請求項１記載の「複数のコアシート」を訂正前明細書に実施例として記載されていた「シャフトに圧入されたコンミテータ、コアとこのコアの外周に微小ギャップを形成して固設された永久磁石を有する回転電機のコアシートにおいて、複数のコアシート」と付加限定し、同じく「コアを形成するための固着部」を「コアを形成するための固着部である半打抜き部」と付加限定するもので、特許請求の範囲の減縮を目的とするもので、新規事項の追加に該当せず、実質上特許請求の範囲を拡張し、又は変更するものではない。
　また、訂正事項（ｂ）は訂正事項（ａ）と整合を図るものであるから明りょうでない記載の釈明に相当し、新規事項を追加するものではない。
　以上のとおりであるから、前記訂正は、特許法１２０条の４第３項において準用する平成６年法律第１１６号による改正前の特許法１２６条１項ただし書、２項及び３項の規定に適合するので当該訂正を認める。
３．本件発明
　本件特許第２９５９０７４号の請求項１に係る発明は訂正明細書の特許請求の範囲の請求項１に記載された次のとおりのものである。
「シャフトに圧入されたコンミテータ、コアとこのコアの外周に微小ギャップを形成して固設された永久磁石を有する回転電機のコアシートにおいて、複数のコアシートを積層しコアを形成するための固着部である半打抜き部を前記コアシートのシャフト挿入穴の周囲に形成された複数の肉抜き部の最外径と最内径との間に形成し且つ固着部である半打抜き部の形成位置を肉抜き部間としたことを特徴とする回転電機のコアシート。」（以下、本件発明という。）
４．引用例
　当審の取消理由通知で引用した実願昭６３−１１２８７７号（実開平２−３３５６３号）のマイクロフィルム（以下、引用例１という。）に、「第１図に示した鉄芯は、第２図に示した様に多数の鉄芯用円板１から構成されている。この鉄芯用円板１の中央には第１図に示したように、シャフト挿通孔２が形成され、鉄芯用円板１の周縁部にいは半径方向に延び周縁に開放するスロット３が周方向に等ピッチに形成されている。これにより、各スロット３間にはティース（歯）４が形成されている。また、この多数の鉄芯用円板１は、対応して積層されていると共にシャフト挿通孔２を挟む位置に設けられたカシメ部５、５で互いに隣接するもの同士が仮固定されている。この各カシメ部による仮固定は、第３図（Ａ）、（Ｂ）に示したように、隣接する鉄芯用円板１の一方の凸部６を他方の凹部７に嵌着固定することで達成されている。尚、カシメ凸部６は、第４図に示した様に紙面に対して約９０゜の角度を有して設けられている。しかも、第３図（Ａ）では、鉄芯用円板１の積層体の一端から突出するカシメ凸部６をそのまま露出状態としている。また、第３図（Ｂ）では、上述の鉄芯用円板１と同形状の 端部鉄芯円板８を設け、この端部鉄芯用板８に係合孔９を設けると共に、鉄芯用円板１の一端から突出すカシメ凸部６を係合孔９内に嵌着させて、載置時に積層体の何れの面を下にしても安定状態で載置できると共に、シャフトへの組み付け性も良くしている。しかも、第５に示すようにシャフト挿通孔２の内周縁ａからスロット３の底部ｂまでの距離Ｌを１００％とすると、内周縁ａからカシメ部５すなわちカシメ凹部７及びカシメ凸部６までの距離ｌは距離Ｌの約２５〜５０％とすると良い。」（６頁７行乃至７頁１６行）、「なお、アマチュアコアのティースより流れる磁束が出てくる近傍にカシメ部が存在すると、磁束の流れが妨げられモータ効率の低下となる。つまり、第８に示す通り、上述のシャフト挿通孔２の内周縁ａからスロット３の底部ｂまでの距離Ｌの５０％まではモータ効率が低下するこおとがないが、５０％より更に底部ｂに近づくと徐々にモータ効率が低下する。また、第９図に示す通り、結束力も、内周縁ａから底部ｂまでの距離Ｌの２５％以降は略同じ結束力が得られるため、２５〜５０％の位置にカシメ部５を設けることにより、モータ効率の低下しない電動機となる。」（９頁５行乃至１６行）と記載されていることが認められ、また、引用例１にはシャフトとコアシートの固定に関し明示するところはないが回転電機のシャフトとコアシートは何らの方法で固定されていることを当然とするのであるから、これらによれば、引用例１には「シャフトに固定されたコア有する回転電機のコアシートにおいて、複数のコアシートを積層しコアを形成するための固着部である半打抜き部を備えた回転電機のコアシート。」との発明（以下、引用例１発明という。）が開示されていると認めることができる。
　同じく、当審の取消理由通知で引用した実願昭５８−４０３４号（実開昭５９−１０９２４０号）のマイクロフィルム（以下、引用例２という。）に、「この考案は、たとえば交流発電機等の回転電機における界磁鉄心の改良に関するものである。」（２頁１行乃至２行）、「第５図に示すように、けい素鋼板などの薄板鋼板材料をプレス加工により、第５図に示すようにな形状、すなわち、その中心部に回転軸（２）を挿入するための通風路（６）と、外周にコイル（図示せず）を巻回するための多数のスロット（７）と、このスロット（７）のない所定数の主極（８）とをそれぞれ一体に打抜いて形成し、これを所定厚さに積層して第６図に示すように、両側の一対の押え板（９）（９）を介し複数のリベット（１０）により一体に固定して回転界磁鉄心（１２）を形成するようにしたものが用いられている。」（３頁４行乃至１５行）と記載されていることが認められる。
　なお、引用例２の第５図において通風孔間であって該通風孔の最外径と最内径との間に存在するものとして円形状で図示されているのは第６図に図示されているリベットないしはリベット孔とするのが当業者の自然な解釈というべきである。
４．対比・判断
　本件発明と引用例１発明とを対比するに、両者は「シャフトに固定されたコア有する回転電機のコアシートにおいて、複数のコアシートを積層しコアを形成するための固着部である半打抜き部を備えた回転電機のコアシート。」の点で一致し、
（１）本件発明がコンミテータ、コアをシャフトに圧入し、コア外周に微小ギャップを形成して永久磁石を固設しているのに対し、引用例１発明はこれらについて記載するところがない点、
（２）本件発明が固着部である半打抜き部の形成位置をシャフト挿入穴の周囲に形成された複数の肉抜き部の最外径と最内径との間で且つ肉抜き部間としてのに対し、引用例１発明はこれについて記載するところがない点、でそれぞれ相違する。
　そこで、前記各相違点について検討する。
（Ａ）相違点（１）について
　特開平１−２８３０３７号公報にも、「第９図において、１は電動機の回転子軸である。２は電動機の回転子鉄心で、軸１に圧入されている。」（１頁右欄７行乃至９行）、「整流子４を軸１に圧入し、」（２頁１行）と記載されているように、コンミテータ、コアをシャフトに固定するのに圧入を利用することは周知の技術であって、この周知技術を引用例１発明のシャフトとコアシートの固定の仕方として採用することが困難であるとする技術的理由もなく、また、回転電機のコアの外周に微小なギャップを形成して永久磁石を固設する構成は回転電機のごく普通とする構造であるから、本件発明の前記相違点（１）に係る構成は当業者が容易に想到できたものというべきである。
（Ｂ）相違点（２）について
　本件発明の「肉抜き部」の技術的意味、すなわち、それがどのような用に供されるものであるかにつき訂正明細書には何ら記載されていなく、この「肉抜き部」につき前示引用例２に記載されているような通風孔であると解することも当業者の通常の認識の範囲というべきである。
　しかるところ、引用例２は前示のとおり通風孔の最外径と最内径との間で且つ通風孔間にコアシートを固着するためのリベットが設けられており、このリベットはコアシートを固着するものとの観点では引用例１発明の固着部である半打抜き部と共通するものであり、そして、引用例１に通風孔を形成することが技術的に意味のないこととはいえず、そうすると、引用例１発明がその課題解決のために半打抜き部の設ける位置を規定した趣旨を維持しつつ、引用例２の通風孔と固着部であるリベットの配置関係（通風孔の最外径と最内径との間で且つ通風孔間）の例に倣い本件発明の相違点（２）に係る構成とすることは当業者が容易に想到できたものというべきである。
　そして、本件発明が奏する「本発明のコアにおいては、固着部をなす半打抜き部が外周の磁気回路から外れているため磁束が通り難く、この部分でのうず電流の発生を抑えることができ、鉄損の増加が抑えられトルクの低下が防止されるという効果を有する。尚、固着部をなす半打抜き部が肉抜き部の最外径と最内径との間に形成し且つ固着部をなす半打抜き部の形成位置を肉抜き部間としてことにより、肉抜き部を設けたことによるコアシートの機械的強度低下、及びコアシートの平面度悪化を抑えることができる。」（訂正明細書３頁１９行乃至２５行）との作用効果も引用例１、引用例２及び周知技術から当業者が予測できる範囲のものである。
　したがって、本件発明は引用例１、引用例２及び周知技術に基づいて当業者が容易に発明をすることができたものである。
５．むすび
　以上のとおりであるから、本件発明は、特許法２９条２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則１４条の規定に基づく、特許法等の一部を改正する法律の施行に伴う経過措置を定める政令（平成７年政令だし２０５号）４条２項の規定により、結論のとおり決定する。
【異議決定日】
平成１２年１１月２８日（２０００．１１．２８）
【訂正の要旨】
（３）訂正事項
　特許請求の範囲の請求項１の「複数のコアシートを」を「
シャフトに圧入されたコンミテータ、コアとこのコアの外周に微小ギャップを形成して固設された永久磁石を有する回転電機のコアシートにおいて、
　これに伴い、特許請求の範囲の記載と発明の詳細な説明の記載との整合を図るため、明りょうでない記載の釈明を目的として、特許第２９５９０７４号発明の明細書第２頁左欄第４行、第２頁右欄第２０行の「複数のコアシートを」を「
シャフトに圧入されたコンミテータ、コアとこのコアの外周に微小ギャップを形成して固設された永久磁石を有する回転電機のコアシートにおいて、
　特許請求の範囲の請求項１の「複数のコアシートを」を「
シャフトに圧入されたコンミテータ、コアとこのコアの外周に微小ギャップを形成して固設された永久磁石を有する回転電機のコアシートにおいて、
である半打抜き部
　これに伴い、特許請求の範囲の記載と発明の詳細な説明の記載との整合を図るため、明りょうでない記載の釈明を目的として、特許第２９５９０７４号発明の明細書第２頁左欄第５行、第１０行、第２頁右欄第２１行、第２４行および第２７行の「固着部」を「固着部
である半打抜き部
　ｃ．特許請求の範囲の請求項１の「固着部の形成位置を」を「固着部
である半打抜き部
　これに伴い、特許請求の範囲の記載と発明の詳細な説明の記載との整合を図るため、明りょうでない記載の釈明を目的として、特許第２９５９０７４号発明の明細書第２頁左欄第７行、第２頁右欄第２３行および第２８行の「固着部」を「固着部
である半打抜き部
（５４）【発明の名称】
回転電機のコアシート
（５７）【特許請求の範囲】
　【請求項１】　
シャフトに圧入されたコンミテータ、コアとこのコアの外周に微小ギャップを形成して固設された永久磁石を有する回転電機のコアシートにおいて、
である半打抜き部
である半打抜き部
【発明の詳細な説明】
　【産業上の利用分野】
　本発明は、回転電機のアーマチュアを構成するコアシートに関する。
　【従来技術】
　従来、回転電機のアーマチュアを構成する複数のコアシートにはシャフトヘの組付性を向上するために、各コアシートの数カ所に半打ち抜き加工にて凸部と凹部とを形成し、これらコアシートの凸部と凹部とを順にしまりばめして固定し、かしめコアを形成している。
　【発明が解決しようとする課題】
　ところで、第３図に示したように、コアシート２１の半打ち抜き加工された半打ち抜き部２１ｂは、コアシート２１のシャフト挿入穴２１ｅの周囲から円周方向に延びた櫛歯状のティース部２１ｄの先端部分などの磁気回路上に設けられていた。
　すると、しまりばめされて、第４図のように固定されたコアは隣接するコアシート２１同士が電気的に導通し、うず電流がコア全体に流れ、鉄損が増大してトルクが低下するという問題があった。
　しかし、上記コアシート２１はしまりばめによる組付性向上を優先させることで、トルクを犠牲にしていた。
　本発明は、上記の課題を解決するために成されたものであり、その目的とするところは、鉄損が増加してトルクが低下することなく、積層固着したコアが実現できる回転電機のコアシートを提供することである。
　【課題を解決するための手段】
　上記課題を解決するための発明の構成は、
シャフトに圧入されたコンミテータ、コアとこのコアの外周に微小ギャップを形成して固設された永久磁石を有する回転電機のコアシートにおいて、
をなす半打抜き部
をなす半打抜き部
　【作用】
　固着部
をなす半打抜き部
　この固着部により複数のコアシートが積層されコアか形成されるがコアの磁気回路から固着部が逃がされているので、磁束が固着部を通り難くなり、うず電流が各コアシート内に留まり易くなり鉄損の増加を小さく抑えることができる。
　即ち、本発明のコアシートを用いることにより、組付性は良いままで、トルクを犠牲にすることがないコアが形成できる。
　【実施例】
　以下、本発明を具体的な実施例に基づいて説明する。
　第１図は本発明に係る回転電機のコアシートを示した平面図であり、第２図は第１図のコアシートを用いて構成したアーマチュアを示した縦断面図である。
　回転電機のアーマチュアは、第２図に示したように、シャフト１に圧入されたコンミテータ４とコア５及びコンミテータ４とコア５とを所定の間隔に保つために設けられたスペーサ３とから構成されている。
　プレス加工により打ち抜き形成されたコアシート２は、第１図に示したように、シャフト挿入穴２ｅの周囲に形成された複数の肉抜き部２ｃとそれら肉抜き部２ｃの間に形成され固着部である半打ち抜き部２ｂと肉抜き部２ｃの周囲から円周方向に延びた複数の櫛歯状のティース部２ｄとそれらティース部２ｄの間のスロット部２ａとから成る。
　そして、コアシート２に形成された半打ち抜き部の凸部と凹部とを互いに重ねて嵌合させ積層固着することによりコア５が構成される。
　ここで、半打ち抜き部２ｂのピッチ径φｄは肉抜き部２ｃの最外径φＤより内側になる寸法（φＤ＞φｄ）とする。
　本発明のコアシート２を用いて構成されたコア５において、複数のコアシート２が積層固着された半打ち抜き部２ｂは磁気回路から外れているため磁束が通り難くなる。
　即ち、第１図に示したように、コア５の外周に微小ギャップを形成して固設された永久磁石が、例えば、４極で上部をＮ極とすると磁束は二点鎖線で示したようにＮ極からコアシート２のティース部２ｄを通って左右のＳ極に流れ、磁気回路は肉抜き部２ｃの最外径より外側部分にて形成されることになり、上記半打ち抜き部２ｂでのうず電流の発生を抑えることができる。
　更に、コア５の他の部分（磁気回路上の積層固着されていない部分）で発生したうず電流は積層固着された半打ち抜き部２ｂに影響されることなく、１枚のコアシート２内に留まり易くなり、鉄損の増加を抑える効果がある。
　尚、スペーサ３はコンミテータ４とコア５とが所定の間隔に固定されれば無くても良い。
　又、本発明に係る固着部は半打ち抜き部を利用した嵌合以外の固着方法、例えば、溶接などを利用しても良い。
　【発明の効果】
　本発明は、
シャフトに圧入されたコンミテータ、コアとこのコアの外周に微少ギャップを形成して固設された永久磁石を有する回転電機のコアシートにおいて、
をなす半打抜き部
をなす半打抜き
をなす半打抜き部
をなす半打抜き部
をなす半打抜き部
【図面の簡単な説明】
　第１図は本発明の具体的な一実施例に係る回転電機のコアシートを示した部分平面図。第２図は同実施例に係る回転電機のコアシートを用いて構成したアーマチュアを示しだ縦断面図。第３図は従来の回転電機のコアシートを示した部分平面図。第４図は第３図のコアシートの半打ち抜き加工された凸部と凹部とを互いに重ねて嵌合させ積層固着させた状態を示した部分縦断面図である。
　１……シャフト、２……コアシート、３……スペーサ、４……コンミテータ、５……コア、２ａ……スロット部、２ｂ……半打ち抜き部（固着部）、２ｃ……肉抜き部、２ｄ……ティース部、２ｅ……シャフト挿入穴